(57)【特許請求の範囲】
【請求項１】
開口部の周縁にフランジ部が突設された容器本体と、これら開口部及びフランジ部を覆う蓋体とからなり、このフランジ部に形成された環状凸部に対し、蓋体の内面をヒートシールして密封した易開封性密封容器において、
前記環状凸部をその全周に亘り、前記容器本体の周壁部分に相対する前記フランジ部と少なくとも一部分が重なるようにフランジ部の内側端である容器開口部の周壁と接近させて配置すると共に、前記環状凸部を、蓋体の内面と略平行に対向する内側平坦面と、この内側平坦面からフランジ張り出し方向へ向けて厚さ寸法が徐々に小さくなるように傾斜する傾斜面と、この傾斜面の外端とフランジ部の表面との間に形成された段部とで構成し、これら内側平坦面及び傾斜面へ向け蓋体の内面を該内側平坦面と略平行に圧接させてヒートシールしたことを特徴とする易開封性密封容器。
【請求項２】
前記傾斜面の断面形状を蓋体の内面へ向けて円弧状に突出させた請求項１記載の易開封性密封容器。
【発明の詳細な説明】
【技術分野】
【０００１】
本発明は、食料品や飲料又はその他の物品を密封収納するための易開封性密封容器に関する。
詳しくは、開口部の周縁にフランジ部が突設された容器本体と、これら開口部及びフランジ部を覆う蓋体とからなり、このフランジ部に形成された環状凸部に対し、蓋体の内面をヒートシール（熱融着）して密封した易開封性密封容器に関する。
【背景技術】
【０００２】
従来、この種の易開封性密封容器として、容器本体（密封容器）の開口部（上面開口）及びフランジ部（フランジ）の上面視形状を略四角形状にしてコーナー部分を曲面とし、蓋体（蓋材）を捲り上げる開封部での環状凸部（ヒートシール被着部）を、フランジ張り出し方向に向けて凸となる山形状することにより、蓋体の開封側端部を摘んでフランジ部から捲り上げると、蓋体を環状凸部から剥離させようとする力が尖頭部分のヒートシール界面に集中して剥離し始めるようにしたものがある（例えば、特許文献１参照）。
【０００３】
【特許文献１】特開２００３−２６１１７７号公報（第３−４頁、図１−６）
【発明の開示】
【発明が解決しようとする課題】
【０００４】
しかし乍ら、このような従来の易開封性密封容器では、開封位置で環状凸部がフランジ部の張り出し方向略中間に配置されるため、蓋体の舌状タブを摘んで捲り上げると、フランジ部の内側端を中心として該フランジ部が同方向へ追随して弾性変形するだけで、その引き剥がし力が環状凸部と蓋体とのシール部分に集中し難くなり、その結果、開封部における環状凸部の山形角度を鋭くしないと、シール部分を剥離することが困難であって、確実に剥離するには力が必要になるという問題があった。
更に、容器本体の開口部及びフランジ部の形状が略四角形であると、そのコーナー部分に環状凸部をフランジ張り出し方向へ略直角の山形状に形成できるが、フランジ部の形状が円形又は楕円形などコーナー部分が存在しない場合には、環状凸部の山形角度が鈍角となって剥離機能が著しく低下するという問題があった。
また、ヒートシール時には、フランジ部の開封側に配置された山形状の環状凸部と、蓋体の開封側端部とを位置合わせて重ね合わせる必要があり、これらの位置合わせには別途、装置が必要になってコストアップになるだけでなく、特にフランジ部の形状が円形又は楕円形などコーナー部分が存在しない場合には、開封側端部の位置合わせが困難となるため、正確な位置合わせが必要になって更にコストアップになるという問題があった。
【０００５】
本発明のうち請求項１記載の発明は、容器形状に関係なくシール強度の確保と易開封性を両立させることを目的としたものである。
また、簡単な構造でありながら開封性を更に向上させることを目的としたものである。
請求項２記載の発明は、請求項１に記載の発明の目的に加えて、開封性を著しく向上させることを目的としたものである。
【課題を解決するための手段】
【０００６】
前述した目的を達成するために、本発明のうち請求項１記載の発明は、環状凸部をその全周に亘り、フランジ部の開口部側に寄せて配置、すなわち、環状凸部をその全周に亘り、前記容器本体の周壁部分に相対する前記フランジ部と少なくとも一部分が重なるようにフランジ部の内側端である容器開口部の周壁と接近させて配置したことを特徴とするものである。
また、前記環状凸部を、蓋体の内面と略平行に対向する内側平坦面と、この内側平坦面からフランジ張り出し方向へ向けて厚さ寸法が徐々に小さくなるように傾斜する傾斜面と、この傾斜面の外端とフランジ部の表面との間に形成された段部とで構成し、これら内側平坦面及び傾斜面へ向け蓋体の内面を該内側平坦面と略平行に圧接させてヒートシールした構成を加えたことを特徴とする。
請求項２記載の発明は、請求項１記載の発明の構成に、前記傾斜面の断面形状を蓋体の内面へ向けて円弧状に突出させた構成を加えたことを特徴とする。
【発明の効果】
【０００７】
本発明は、環状凸部をその全周に亘り、前記容器本体の周壁部分に相対する前記フランジ部と少なくとも一部分が重なるようにフランジ部の内側端である容器開口部の周壁と接近させて配置することにより、環状凸部と蓋体の内面とのシール部分が、その全周に亘ってフランジ部の弾性変形中心と近くにあるため、開封時において蓋体の全周何れかの位置を摘んで捲り上げても、同方向へ開封側のフランジ部及び環状凸部が弾性変形し難く、その引き剥がし力がシール部分に集中して、所要のシール強度でヒートシールされていても剥離し始めるようになる。
従って、容器形状に関係なくシール強度の確保と易開封性を両立させることができる。
その結果、開封位置において環状凸部がフランジ部の張り出し方向略中間に配置される従来のものに比べ、容器本体の開口部及びフランジ部の形状が円形又は楕円形などであっても、シール部分を剥離するために過剰な力が要らず、シール強度を上げても開封し易い。
更に、ヒートシール時には、容器本体と蓋体の開封位置を正確に位置合わせする必要がないから、既存の製造装置を使って簡単に製造でき、その分だけ製造コストの低減化が図れる。
【０００８】
また、環状凸部を、蓋体の内面と略平行に対向する内側平坦面と、この内側平坦面からフランジ張り出し方向へ向けて厚さ寸法が徐々に小さくなるように傾斜する傾斜面と、この傾斜面の外端とフランジ部の表面との間に形成された段部とで構成し、これら内側平坦面及び傾斜面へ向け蓋体の内面を該内側平坦面と略平行に圧接させてヒートシールすることにより、内側平坦面と蓋体の内面は略平行に圧接するため、シール強度が最も高く、傾斜面の外側へ向かって蓋体の内面との圧接力が徐々に減少するため、外側へ向かってシール強度が低下し、開封時には蓋体の一端を摘んで捲り上げると、段部を介して蓋体の内面とフランジ部の表面との間に形成された隙間からシール強度が最低な傾斜面の外端へ向け引き剥がし力が集中して容易に剥離し始める。
従って、簡単な構造でありながら開封性を更に向上させることができる。
【０００９】
さらに、傾斜面の断面形状を蓋体の内面へ向けて円弧状に突出させることにより、この傾斜面と蓋体の内面とのヒートシール時に、該傾斜面の外側へ向かって蓋体の内面との圧接力が極端に減少するため、傾斜面のシール強度が外側へ向かってシール強度が大幅に低下する。
従って、開封性を著しく向上させることができる。
【発明を実施するための最良の形態】
【００１０】
本発明の易開封性密封容器Ａは、図１に示す如く、開口部１ａの周縁全周にフランジ部１ｂが一体的に形成された容器本体１と、これら開口部１ａ及びフランジ部１ｂを覆う蓋体２とからなり、このフランジ部１ｂの表面（図面では上面）に環状凸部１ｃを該開口部１ａに沿って形成し、該環状凸部１ｃに上記蓋体２の内面２ａを重ね合わせ、これら両者をシールバー（図示せず）で圧接させながら加熱することにより、ヒートシールして密封するものである。
【００１１】
この際、容器本体１と蓋体２の材料は、少なくとも環状凸部１ｃの表面（図面では上面）と蓋体２の内面２ａの両方又はどちらか一方が、ヒートシールで密封可能な熱可塑性合成樹脂などであれば、それ以外の部位は他の材料で構成しても良い。
【００１２】
そして、上記フランジ部１ｂの表面において、環状凸部１ｃをその全周に亘り、開口部１ａ側に寄せて配置することにより、該フランジ部１ｂの内側端である開口部１ａの周壁部分１ｄと接近させている。
【００１３】
上記容器本体１は、合成樹脂により射出成形などでフランジ部１ｂを一体的に形成するか又は一体成形すると、このフランジ部１ｂは、開口部１ａの周壁部分１ｄから径方向へ突出するため、その張り出し方向と交差する方向（図面では上方）へ引っ張り力が作用すると、該フランジ部１ｂの内側端部近くを中心として同方向へ弾性変形し易い。
【００１４】
しかし、上記環状凸部１ｃが配置されるフランジ部１ｂの開口部１ａ側は、その張り出し方向と交差する方向（図面では上方）へ引っ張り力が作用しても、その弾性変形の中心位置と極めて近いため、該フランジ部１ｂの張り出し方向中間部分や外側分が同方向へ弾性変形しても、環状凸部１ｃの配置箇所は変形量が極めて小さい。
【００１５】
また、上記蓋体２の外周には、フランジ部１ｂよりもその張り出し方向へ突出する開封側端部２ｂを形成し、この開封側端部２ｂを摘むことで、フランジ部１ｂの環状凸部１ｃから引き剥がすために捲り上げることが容易となるようにしている。
【００１６】
従って、少なくとも開封側の環状凸部１ｃをフランジ部１ｂの開口部１ａ側に寄せて配置すれば、蓋体２の開封側端部２ｂの捲り上げに伴って、該環状凸部１ｃと蓋体２の内面２ａとのシール部分Ｓに、フランジ部１ｂの張り出し方向と交差する剥離方向（図面では上方）へ引っ張り力が作用しても、該フランジ部１ｂの弾性変形中心と極めて近いため、開封側のフランジ部１ｂ及び環状凸部１ｃが同方向へ開口部１ａの周壁部分１ｄに対して弾性変形し難い。
以下、本発明の一実施例を図面に基づいて説明する。
【実施例１】
【００１７】
この実施例１は、図１（ａ）〜（ｃ）に示す如く、前記容器本体１の開口部１ａ及びフランジ部１ｂの形状が円形で、フィルムからなる蓋体２もフランジ部１ｂの外縁形状に対応した円形に形成され、この蓋体２の内面周縁部２ａを前記環状凸部１ｃに重ね合わせてヒートシールすると共に、該蓋体２の周方向一端に開封側端部２ｂとして舌状タブが一体形成される場合を示すものである。
【００１８】
図示例では、上記フランジ部１ｂの内側端部に、射出成形の型抜き時に使用する環状凹部１ｅを形成し、その外側に環状凸部１ｃを開口部１ａの周壁部分１ｄから等間隔をあけて一体に周設している。
【００１９】
この環状凸部１ｃの他の配置例として図示せぬが、フランジ部１ｂの内側端部に環状凸部１ｃを周設して、該環状凸部１ｃの内側端面を開口部１ａの周壁部分１ｄと連続させるようにすることも可能である。
【００２０】
そして、上記環状凸部１ｃは、前記容器本体１の中央に配置された開口部１ａ側からフランジ張り出し方向へ向けて内側平坦面１ｃ１と傾斜面１ｃ２と段部１ｃ３とを形成し、これら内側平坦面１ｃ１及び傾斜面１ｃ２へ向けて、蓋体２の内面周縁部２ａを、該内側平坦面１ｃ１と略平行となるように重ね合わせ、シールバー（図示せず）により圧接させてヒートシールすることが好ましい。
【００２１】
上記内側平坦面１ｃ１は、本発明の易開封性密封容器Ａを製造する際に、容器本体１の開口部１ａへ向けて供給される蓋体２の内面周縁部２ａと略平行に対向するように平らに形成される。
【００２２】
上記傾斜面１ｃ２は、上記内側平坦面１ｃ１の外端からフランジ張り出し方向へ向けて厚さ（図面では上下）寸法が徐々に小さくなるように傾斜され、更に該傾斜面１ｃ２の断面形状を蓋体２の内面周縁部２ａへ向けて円弧状に突出させることが好ましい。
【００２３】
上記段部１ｃ３は、上記傾斜面１ｃ２の外端とフランジ部１ｂの表面との間に形成され、このフランジ部１ｂの表面と段部１ｃ３との間隔は、傾斜面１ｃ２の外端部分まで蓋体２の内面周縁部２ａがヒートシールされ、更に該ヒートシールにより溶融した熱接着性樹脂が溶融してはみ出た樹脂溜まりが環状凸部１ｃの外側に若干できたとしても、フランジ部１ｂの表面まで届かない距離に設定している。
【００２４】
次に、斯かる易開封性密封容器Ａの作用効果について説明する。
先ず、図１（ｂ）に示す密封状態において、蓋体２の全周何れかの位置に配置された開封側端部２ｂの舌状タブを摘んで、フランジ部１ｂの環状凸部１ｃから引き剥がそうと捲り上げても、この環状凸部１ｃの配設位置は該フランジ部１ｂの弾性変形中心と極めて近いため、開封側のフランジ部１ｂ及び環状凸部１ｃが同方向へ開口部１ａの周壁部分１ｄに対して弾性変形し難い。
【００２５】
そのため、開封側端部２ｂの捲り上げによる引き剥がし力がシール部分Ｓに集中するようになって、図１（ｃ）に示す如く、該シール部分Ｓが容易に剥離し始める。
実験によれば、例えば密封後にレトルト殺菌処理を施しても破袋しない程度のシール強度が確保されるように環状凸部１ｃと蓋体２の内面周縁部２ａとをヒートシールしても、簡単に剥離されることが実証できた。
【００２６】
これに対して、図２（ａ）に示す例えば特開２００３−２６１１７７号公報に開示されるように開封位置で環状凸部１ｃ′がフランジ部１ｂ′の張り出し方向略中間に配置される場合には、蓋体２′の開封側端部２ｂ′を摘んで捲り上げても、図２（ｂ）に示す如く、フランジ部１ｂ′の内側端を中心として該フランジ部１ｂ′が同方向へ追随して弾性変形してしまう。
【００２７】
そのため、開封側端部２ｂ′の捲り上げによる引き剥がし力が分散して、環状凸部１ｃ′と蓋体２′の内面周縁部２ａ′とのシール部分Ｓ′に集中し難くなり、容器本体１′から蓋体２′を確実に剥離するには過剰な力が必要になってしまった。
【００２８】
これら両者を比較すれば、斯かる易開封性密封容器Ａは、容器本体１の開口部１ａ及びフランジ部１ｂの形状が円形であっても、シール強度の確保と易開封性を両立でき、しかも特開２００３−２６１１７７号公報のように、容器本体１に対して蓋体２の開封側端部２ｂを正確に位置合わせする必要なく簡単にヒートシールできる。
【００２９】
更に、本実施例の場合には、前記環状凸部１ｃの内側平坦面１ｃ１及び傾斜面１ｃ２へ向けて、蓋体２の内面周縁部２ａを、該内側平坦面１ｃ１と略平行となるように重ね合わせ、シールバーで圧接させるため、内側平坦面１ｃ１と蓋体２の内面周縁部２ａとのシール強度が最も高く、傾斜面１ｃ２の外側へ向かって蓋体２の内面周縁部２ａとの圧接力が徐々に減少するため、外側へ向かってシール強度が低下する。
【００３０】
それにより、開封時には蓋体２の開封側端部２ｂを摘んで捲り上げると、段部１ｃ３を介して蓋体２の内面周縁部２ａとフランジ部１ｂの表面との間に形成された隙間から、シール強度が最も低い傾斜面１ｃ２の外端へ向け、開封側端部２ｂの捲り上げによる引き剥がし力が集中して、更に容易に剥離し始める。
【００３１】
その結果、前記環状凸部１ｃを上述した簡単な構造にすることで開封性を更に向上できるという利点がある。
【００３２】
更にまた、上記傾斜面１ｃ２の断面形状を蓋体２の内面周縁部２ａへ向けて円弧状に突出させる構造にすれば、この傾斜面１ｃ１と蓋体２の内面周縁部２ａとのヒートシール時に、該傾斜面１ｃ１の外側へ向かって蓋体２の内面周縁部２ａとの圧接力が極端に減少するため、傾斜面１ｃ２のシール強度が外側へ向かって大幅に低下する。
その結果、開封性を著しく向上できるという利点がある。
【００３３】
尚、前示実施例では、容器本体１の開口部１ａ及びフランジ部１ｂと蓋体２の形状が円形である場合を示したが、これに限定されず図示せぬが、楕円形や四角形など、他の形状であっても良い。
この場合も前述した実施例と同様な作用効果が得られる。
【００３４】
更に、フランジ部１ｂの環状凸部１ｃに対して、フィルムからなる蓋体２をヒートシールした場合を示したが、これに限定されず図示せぬが、フィルム蓋に代えて合成樹脂などで薄板状に成形された変形し難い成形シール蓋などの蓋体をヒートシールしても良い。
できれば、他の構造であっても良い。
この場合も前述した実施例と同様な作用効果が得られる。
【図面の簡単な説明】
【００３５】
【図１】本発明の易開封性密封容器の一実施例を示し、（ａ）が一部拡大した分解斜視図であり、（ｂ）が密封状態の部分拡大縦断面図であり、（ｃ）が開封時の部分拡大縦断面図である。
【図２】従来の易開封性密封容器の一例を示し、（ａ）が密封状態の部分拡大縦断面図、（ｂ）が開封時の部分拡大縦断面図である。
【符号の説明】
【００３６】
Ａ  易開封性密封容器              Ｓ  シール部分
１  容器本体                      １ａ  開口部
１ｂ  フランジ部                  １ｃ  環状凸部
１ｃ１  内側平坦面                １ｃ２  傾斜面
１ｃ３  段部                      １ｄ  周壁部分
２  蓋体                          ２ａ  内面（内面周縁部）
２ｂ  開封側端部（舌状タブ）
【図１】
0005373248.tif 000002
【図２】
0005373248.tif 000003